(57)【特許請求の範囲】
【請求項１】
主幹ブレーカ及び分岐ブレーカを組み付ける基台と、前面板及びその周囲に形成された側面板を備えて、背部が開放されて前記基台前面を閉塞するカバーとを有する住宅用分電盤ケースであって、
前記側面板の後部の適宜部位に、前記基台に係止する係止片を突設する一方、前記基台に前記係止片を係止する係止凹部を設け、
更に前記基台の周縁には、前記側面板の端部が嵌合するよう一段落とし込んで形成した段部を備えると共に、前記側面板の内面が当接して前記側面板を前記段部へ案内するリブを適宜部位に設けて成り、
前記係止片は、前記カバーの左右側面を構成する側面板に設けられると共に、左右外側に向けて爪が設けられ、
前記基台の前記係止凹部が形成された近傍は周囲から一段低く形成され、前記段部を小さく或いは無くしたことを特徴とする住宅用分電盤ケース。
【請求項２】
前記係止片を設けた前記側面板の左右側部は、前記係止片を挟む上下部位において、前後方向にスリットが切り欠かれてなり、上下の前記スリットの間の前記側面板のみ前記カバーの内方へ押下可能としたことを特徴とする請求項１記載の住宅用分電盤ケース。
【発明の詳細な説明】
【技術分野】
【０００１】
本発明は住宅用分電盤に関し、詳しくは機器を組み付ける基台及び基台の前面を覆うカバーとを有する住宅用分電盤ケースに関する。
【背景技術】
【０００２】
住宅用分電盤のケースは、主幹ブレーカや分岐ブレーカを組み付けて導体バーが配設される基台と、この基台の前面を覆うカバーとで構成されたものが多く、カバーは充電部を覆いブレーカの操作ハンドルを露出させるパネルとパネル前面を覆う扉とで構成されたものが普及している。一方で、扉を持たず操作ハンドルをカバーから直接露出させたものもある。
【０００３】
従来のこのような住宅用分電盤のケースは、壁面に設置される基台に側枠を設けて箱状に形成することでカバーの奥行きを少なくし、カバー周囲に枠部を形成して反り難い構成とした。
例えば、特許文献１に記載された住宅用分電盤ケースのカバーは、パネルと扉とで構成されるが、パネルの周囲には枠部が形成され、堅牢な形状としている。一方、扉は枠部を設けていないため反り易く、扉の一辺をパネルに蝶着し、扉が当接する突台部と、扉の枠が係合する段差部を、パネルの蝶着辺に対向する扉の開放端側に設け、更に扉にロック突起を設けると共に、パネルにそのキャッチを設けて扉の反りの矯正を図っている。
【先行技術文献】
【特許文献】
【０００４】
【特許文献１】特開２００１−１５７３１９号公報
【発明の概要】
【発明が解決しようとする課題】
【０００５】
従来の住宅用分電盤のケースは、上述したように基台を箱状に形成しているが、基台は側枠を設けず板状に形成した方が機器の組み付けがし易い。そのため、カバーに側枠を設けて箱状に形成することが考えられる。ところが、このような構成にすると、上述した扉のようにカバーには枠部の形成が難しくなり反りが発生し易くなってしまう。
その場合、上記特許文献１で行っているような突台部や段差部、更にはロック突起を係止するキャッチを基台に形成することが考えられるが、カバーは大きいし蝶着部も無いためそれだけでは十分ではない。また、基台自体の形状が複雑になり厚みも増してコスト増を招いてしまう。
【０００６】
そこで、本発明はこのような問題点に鑑み、簡易な構造で箱状に形成したカバーの反りを矯正でき、基台にスムーズに装着できる住宅用分電盤ケースを提供することを目的としている。
【課題を解決するための手段】
【０００７】
上記課題を解決する為に、請求項１の発明は、主幹ブレーカ及び分岐ブレーカを組み付ける基台と、前面板及びその周囲に形成された側面板を備えて、背部が開放されて基台前面を閉塞するカバーとを有する住宅用分電盤ケースであって、側面板の後部の適宜部位に、基台に係止する係止片を突設する一方、基台に係止片を係止する係止凹部を設け、更に基台の周縁には、側面板の端部が嵌合するよう一段落とし込んで形成した段部を備えると共に、側面板の内面が当接して側面板を段部へ案内するリブを適宜部位に設けて成り、係止片は、カバーの左右側面を構成する側面板に設けられると共に、左右外側に向けて爪が設けられ、基台の係止凹部が形成された近傍は周囲から一段低く形成され、段部を小さく或いは無くしたことを特徴とする。
この構成によれば、リブに案内されてカバーの周縁部は矯正されて段部へ案内されるため、箱状に形成したカバーに反りが発生しても簡易な操作で基台へ装着操作できる。そして、リブの案内作用により基台に周設した段部にカバーが嵌合し、最後に係止片が係止凹部に係止してカバーは固定されるため、簡易な構造でカバーを基台に装着できる。
また、装着状態で基台とカバーとは段部において互いに押圧することで、カバーと基台との双方の反りを矯正できる。
【０００８】
加えて、左右からケースを押圧操作すれば、押圧されたケース側面は基台の段部に当接することなくスムーズに内方へ変形し、係止片が係止解除する。よって、カバーを容易に外すことができる。
【０００９】
請求項２の発明は、請求項１に記載の構成において、係止片を設けた側面板の左右側部は、係止片を挟む上下部位において、前後方向にスリットが切り欠かれてなり、上下のスリットの間の側面板のみカバーの内方へ押下可能としたことを特徴とする。
この構成によれば、スリットの間の側面を押圧操作することで係止片の係止解除操作を容易に実施でき、カバーを外し易い。また、押下部位を把握し易い。
【発明の効果】
【００１０】
本発明によれば、リブに案内されてカバーは段部へ案内されるし、その後係止片が係止凹部に係止してカバーは固定されるため、カバーに反りが発生しても簡易な構成で基台へカバーを装着できる。加えて基台に周設した段部にカバーが嵌合し、基台がカバーを外側方向へ押圧する一方で、嵌合したカバーは基台を後方へ押圧するため、カバーと基台との双方の反りを矯正できる。
【図面の簡単な説明】
【００１１】
【図１】本発明に係る住宅用分電盤ケースの一例を示す分解斜視図である。
【図２】主幹ブレーカ、分岐ブレーカを組み付けた基台の斜視図である。
【図３】Ｓ１部拡大図である。
【図４】分電盤ケースの正面図である。
【図５】（ａ）はＡ−Ａ線断面図、（ｂ）はＳ２部の拡大図である。
【図６】（ａ）はＢ−Ｂ線断面図、（ｂ）はＳ３部の拡大図である。
【発明を実施するための形態】
【００１２】
以下、本発明を具体化した実施の形態を、図面を参照して詳細に説明する。図１は本発明に係る住宅用分電盤ケースの一例を示す分解斜視図であり、１は壁面に設置されて機器が組み付けられる基台、２は基台１の前面を覆うカバーであり、ケース１０はこの基台１とカバー２とで構成されている。
【００１３】
基台１は、枠状に周設された機器取付枠から成り、図２はこの基台１に主幹ブレーカ３、分岐ブレーカ４を組み付けた状態を示している。基台１には架台５が取り付けられ、架台５に対して主幹ブレーカ３、分岐ブレーカ４等の機器が組み付けられる。尚、図２では分岐ブレーカ４が１つだけ組み付けられた状態を示しているが、組み付けた分岐ブレーカ４の図示右側スペースに必要な数の分岐ブレーカ４が隣接されて組み付けられる。
【００１４】
基台１の周縁部には、後述するカバー２の係止片２４を挿入して係止する係止凹部１１、カバー２の内側面に当接するリブ１２が設けられ、係止凹部１１は左右側部にそれぞれ一対設けられ、リブ１２は周囲の適宜部位に突設されている。
また、図１のＳ１部を拡大した図３に示すように、基台１の前面端部の周縁部には前面に対して一段落とし込んで形成された段部１３が形成されている。この段部１３はカバー２の周縁部が嵌合する部位であり、基台１に周設されてカバー２の反り等の変形を矯正すると共に、隙間の発生を防ぐために設けられている。
【００１５】
カバー２は、前面板２１とその周囲に形成された側面板２２を有している。前面板２１には、主幹ブレーカ３や分岐ブレーカ４の操作ハンドル３ａ，４ａを露出させる操作窓２１ａ，２１ｂが開口形成され、充電部等の他の部位は露出しないよう形成されている。
側面板２２は、左右側板２２ａ、上部の天板２２ｂ、下部の底板２２ｃ（図６に示す）を有し、前面板２１の周囲を囲むよう形成され、カバー２は箱状に形成されて後方に向けて開放されている。
【００１６】
そして、左右の側板２２ａには基台１の係止凹部１１に係止する係止片２４がそれぞれ一対後方に向けて突設されている。図４はカバー２の正面図を示し、図５は図４のＡ−Ａ線断面図を示している。この図５に示すように、係止片２４は左右外側に向けて爪２４ａが設けられ、側板２２ａをカバー２の内方へ押圧操作することで係止解除されるよう構成されている。更に、図１に示すように側板２２ａには一対の係止片２４を挟む様に側板２２ａの上下部位に、側板２２ａの後端から前方に向けてスリット２５が設けられ、係止片２４を形成した部位のみの側板２２ａの変形を可能としている。
【００１７】
また、図６は図４のＢ−Ｂ線断面図を示し、図６に示すようにカバー２の側板２２ａ内側がリブ１２に当接して変形が矯正されると共に、周縁部が段部１３に案内されて嵌合することで反りが矯正される。尚、カバー２の周縁部である側面板２２の後端には段部１３に嵌合する溝２６が周設されており、基台１とカバー２とが周縁部で互いに押圧するよう構成されている。
【００１８】
尚、基台１の前面側部は、図２に示すようにカバー２のスリット２５の間隔に合わせた領域Ｅが一段低く形成され、段部１３を小さくしてカバー２のスムーズな押下操作を可能とする解除凹部１４が形成されている。
【００１９】
このように、リブ１２に案内されてカバー２の周縁部は矯正されて段部１３へ合致するよう進むため、箱状に形成したカバー２に反りが発生しても簡易な操作で基台１へ装着操作できる。そして、リブ１２の案内により基台１に周設した段部１３にカバー２が嵌合し、最後に係止片２４が係止凹部１１に係止してカバー２は固定されるため、簡易な構造で容易にカバー２を基台１に装着できる。
また、カバー２の装着状態では、基台１とカバー２とは段部１３において互いに押圧するため、カバー２と基台１との双方の反りを矯正できる。
更に、上下に設けたスリット２５の間となる基台１の端部には解除凹部１４が形成されているため、左右からケース２を押圧操作すれば、押圧されたケース２の側面２２ａは基台１の段部１３に当接することなくスムーズに内方へ変形し、係止片２４が係止解除する。よって、カバーを容易に外すことができる。
そして、カバー２の取り外しはスリット２５の間の側面２２ａを押圧操作すれば良いため、係止片２４の係止解除操作を容易に実施できる。
【００２０】
尚、上記実施形態では、カバー２の左右側部に係止片２４を設けているが、天板２２ｂと底板２２ｃとの間で係止片２４を設けても良い。
また、上下のスリット２５の間となる基台１の側部に解除凹部１４を設けて、段部１３を小さくして側板２２ａがスムーズに押下されるよう形成しているが、この部位は段部１３を完全に無くしても良い。逆に、段部１３を残して側板２２ａのスリット２５の間を切り欠いて短くしても良い。
【符号の説明】
【００２１】
１・・基台、２・・カバー、３・・主幹ブレーカ、４・・分岐ブレーカ、１０・・ケース、１１・・係止凹部。１２・・リブ、１３・・段部、２１・・前面板、２２・・側面板、２２ａ・・側板、２４・・係止片、２４ａ・・爪、２５・・スリット、２６・・溝。
【図１】
0006517490.tif 000002
【図２】
0006517490.tif 000003
【図３】
0006517490.tif 000004
【図４】
0006517490.tif 000005
【図５】
0006517490.tif 000006
【図６】
0006517490.tif 000007